(57)【特許請求の範囲】
【請求項１】
相互に接続された複数のサブネットワークのそれぞれに、前記複数のサブネットワークと同時に接続可能である移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおいて、
前記移動端末は、
同時に通信可能なサブネットワーク間の移動に際し前記移動端末管理装置に対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する疑似登録手段、
を備えたことを特徴とする移動ネットワーキングシステム。
【請求項２】
相互に接続された複数のサブネットワークのそれぞれに、前記複数のサブネットワークと同時に接続可能である移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおいて、
前記移動端末管理装置は、
前記移動端末が同時に通信可能な前記サブネットワーク間を移動する際に登録される位置毎に、前記移動端末宛のＩＰパケットの転送の要否を指定するパラメータを設定する転送要否設定手段、
を備えたことを特徴とする移動ネットワーキングシステム。
【請求項３】
前記移動端末は、サブネットワーク間の移動を検出して前記疑似登録を含む位置登録の試みをしたとき、他端末と通信中である場合には、移動検出時に前記位置登録の処理を行わずに一定時間経過後に前記位置登録の処理を実行する遅延登録手段、
を備えたことを特徴とする請求項１に記載の移動ネットワーキングシステム。
【請求項４】
前記移動端末の遅延登録手段は、前記一定時間経過後に前記位置登録の試みをしたとき、まだ通信中である場合には、通信中であることを確認しつつ前記一定時間経過後の前記位置登録の試みを規定回数繰り返し行い、その後前記位置登録の処理を実行することを特徴とする請求項３に記載の移動ネットワーキングシステム。
【請求項５】
移動ネットワーキングシステムにおいて相互に接続された複数のサブネットワークと同時に接続可能である移動端末において、
前記移動端末は、
前記移動端末が同時に前記複数のサブネットワークに位置することを可能とする移動端末管理装置に対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する疑似登録手段、
を備えたことを特徴とする移動端末。
【請求項６】
移動ネットワーキングシステムにおいて相互に接続された複数のサブネットワークと同時に接続可能である移動端末の位置を管理し、前記移動端末が同時に前記複数のサブネットワークに位置することを可能とする移動端末管理装置において、
前記移動端末管理装置は、
前記移動端末が同時に通信可能な前記サブネットワーク間を移動する際に登録される位置毎に、前記移動端末宛のＩＰパケットの転送の要否を指定するパラメータを設定する転送要否設定手段、
を備えたことを特徴とする移動端末管理装置。
【請求項７】
前記移動端末は、前記サブネットワーク間の移動を検出して前記疑似登録を含む位置登録の試みをしたとき、他端末と通信中である場合には、移動検出時に前記位置登録の処理を行わずに一定時間経過後に前記位置登録の処理を実行する遅延登録手段、
を備えたことを特徴とする請求項５に記載の移動端末。
【請求項８】
前記遅延登録手段は、前記一定時間経過後に前記位置登録の試みをしたとき、まだ通信中である場合には、通信中であることを確認しつつ前記一定時間経過後の前記位置登録の試みを規定回数繰り返し行い、その後前記位置登録の処理を実行することを特徴とする請求項７に記載の移動端末。
【請求項９】
相互に接続された複数のサブネットワークのそれぞれに、前記複数のサブネットワークと同時に接続可能である移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおける移動端末の位置管理方法において、
前記移動端末は、
同時に通信可能なサブネットワーク間の移動に際し前記移動端末管理装置に対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する疑似登録工程、
を含むことを特徴とする移動端末の位置管理方法。
【請求項１０】
相互に接続された複数のサブネットワークのそれぞれに、移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおける移動端末の位置管理方法において、
前記移動端末管理装置は、
前記移動端末が同時に通信可能な前記サブネットワーク間を移動する際に登録される位置毎に、前記移動端末宛のＩＰパケットの転送の要否を指定するパラメータを設定する転送要否設定工程、
を含むことを特徴とする移動端末の位置管理方法。
【請求項１１】
前記移動端末は、
サブネットワーク間の移動を検出して前記疑似登録を含む位置登録の試みをしたとき、他端末と通信中である場合には、移動検出時に前記位置登録の処理を行わずに一定時間経過後に前記位置登録の処理を実行する遅延登録工程、
を含むことを特徴とする請求項９に記載の移動端末の位置管理方法。
【請求項１２】
前記移動端末の遅延登録工程では、前記一定時間経過後に前記位置登録の試みをしたとき、まだ通信中である場合には、通信中であることを確認しつつ前記一定時間経過後の前記位置登録の試みが規定回数繰り返し行われ、その後前記位置登録の処理が実行されることを特徴とする請求項１１に記載の移動端末の位置管理方法。
【発明の詳細な説明】
【０００１】
【発明の属する技術分野】
この発明は、複数のサブネットワークが相互に接続された移動ネットワーキングシステム、移動端末、移動端末管理装置および移動端末の位置管理方法に関するものである。
【０００２】
【従来の技術】
複数のサブネットワークが相互に接続された移動ネットワーキングシステムにおいて、移動端末が通信中に移動する際に、また移動した先々で通信を可能とするために、ＩＰ(Internet Protocol)モビリティとしてＲＦＣ２００２では"IP Mobility Support"が規定されている。
【０００３】
図５は、ＲＦＣ２００２によるＩＰモビリティ・ネットワークの構成を示す。図５において、このネットワークは、ＩＰネットワーク９０１を介して複数のサブネットワーク９０２，９０３，９０４が相互に接続される構成である。図５では、サブネットワーク９０２にホーム・エージェント（移動端末管理装置）９０５が設置され、サブネットワーク９０３，９０４にフォーリン・エージェント（通信中継装置）９０６，９０７が設置されている。そして、フォーリン・エージェント（通信中継装置）９０６の管理下に居る移動端末９０９がＩＰネットワーク９０１に接続される通常端末９０８と通信しながらサブネットワーク９０４に移動する場合が示されている。
【０００４】
各移動端末９０９は、ホーム・エージェント９０５に対して現在の位置情報を登録する。また、移動端末の位置情報は、現在位置するサブネットワーク９０３内のフォーリン・エージェント９０６にも登録される。各移動端末９０９は、現在の位置に依存しない識別子(ホームＩＰアドレス)を持ち、この識別子を用いてホーム・エージェント９０５に管理されるようになっている。
【０００５】
なお、移動端末の移動性をサポートするネットワークは、ＲＦＣ２００２による構成以外にも種々の提案がなされている。例えば、IPv6については、Internet-Draft "draft-ietf-mobileip-ipv6 -13.txt"にてMobile IPv6が規定されている。
【０００６】
ここで、端末のネットワーク上の移動を考慮した位置管理方式や移動端末としては、従来から種々提案されている。例えば、特開２０００−３１６７１９号公報（移動体通信網の加入者データ制御方法）では、移動局が異なるサービスエリア間を移動し、移動先に位置登録を行った場合に、登録情報を所定時間保持することにより、移動局の戻り時の登録処理のトラヒックを低減するための技術が開示されている。また、特開平１１−２９８９６４号公報（デュアルバンド携帯電話機及び移動電話システム切替方法）では、異なるシステム間の移動における位置登録の技術が開示されている。
【０００７】
さらに、特開２００１−３６９４４号公報（位置登録制御方法および移動体通信システム）では、位置登録用の制御チャネルが輻輳している場合には、移動体端末が一定時間を待った後、位置登録を行う方法が開示されている。加えて特開２０００−２２４６４１号公報（移動体通信システム）では、移動端末が位置登録エリアの移動を検出してから位置登録を行うまでに一定時間を置いて位置登録を行う方法が開示されている。
【０００８】
【発明が解決しようとする課題】
しかしながら、従来の移動ネットワーキングシステムで採用されている移動端末の位置管理方法では、移動端末が異なるサブネットワーク間を移動する毎に、現在の位置をホーム・エージェントに登録する必要がある。そして、移動端末が複数のサブネットワークと同時に通信可能である場合には、いずれか１つのサブネットワーク上に位置するものとしてホーム・エージェントに位置を登録するか、複数のサブネットワーク上に位置するものとしてホーム・エージェントに複数の位置を登録するようになっている。
【０００９】
その結果、いずれか１つのサブネットワーク上に位置するものとしてホーム・エージェントに位置を登録する方式では、選択したサブネットワークと移動端末間のネットワーク状態の変化に伴い他のサブネットワークに移動したときに、またその移動した他のサブネットワーク上に位置するものとするときに、再度、位置登録の手順を行う必要があり、位置登録の手順に時間を要するという問題がある。
【００１０】
また、複数のサブネットワーク上に位置するものとしてホーム・エージェントに複数の位置を登録する方式では、ホーム・エージェントは、移動端末宛のＩＰパケットを複数のサブネットワークに同報送信するため、ネットワーク資源の浪費につながるという問題がある。
【００１１】
さらに、移動端末は、異なるサブネットワーク間の移動を検出することにより、ホーム・エージェントに対する位置登録を行っている。そして、移動端末が複数のサブネットワークと同時に通信可能である場合にも、サブネットワークと移動端末間のネットワーク状態に応じてのみ、ホーム・エージェントに対する位置登録を行っている。つまり、移動端末が他端末と通信を行っている場合にホーム・エージェントに対する位置登録要求が並行して行われることになる。
【００１２】
この場合、ホーム・エージェントでは、位置登録がある度に認証等の処理を行うので、移動端末が他端末と通信を行っている場合にホーム・エージェントに対する位置登録要求が行われると、ホーム・エージェントにおける位置登録に付随する認証等のオーバヘッドにより、移動端末が他端末と行っている通信が一時的に中断される場合があるという問題がある。
【００１３】
なお、特開２０００−３１６７１９号公報（移動体通信網の加入者データ制御方法）では、同一システム内の移動端末の移動を扱っている。また所定時間内に移動端末が移動前のサービスエリアに戻る必要があるので、異なるシステム間を移動する場合や、移動端末が所定時間以上を経過後に移動前のサービスエリアに戻る場合には、登録処理のトラヒックの低減が実現されないという問題がある。
【００１４】
また、特開平１１−２９８９６４号公報（デュアルバンド携帯電話機及び移動電話システム切替方法）では、移動端末における技術のみを開示しており、移動端末の位置を管理する移動端末管理装置における登録処理のトラヒックの低減については示されていない。
【００１５】
さらに、特開２００１−３６９４４号公報（位置登録制御方法および移動体通信システム）では、移動端末が他端末と通信している際の位置登録を行う技術については示されていない。加えて、特開２０００−２２４６４１号公報（移動体通信システム）では、同一システム内での移動を扱っている。また、常に一定時間を置いて位置登録を行っており、移動端末が他端末と行っている通信が考慮されていないという問題がある。
【００１６】
この発明は、上記に鑑みてなされたもので、移動端末宛てのＩＰパケットを複数のサブネットワークに同報送信するのに用いるネットワーク資源の消費を少なくし、移動端末の位置登録に要する処理時間を低減できる移動ネットワーキングシステム、移動端末、移動端末管理装置および移動端末の位置管理方法、並びに、その際に他端末との通信と位置登録の処理との競合を回避できる移動ネットワーキングシステム、移動端末、および移動端末の位置管理方法を得ることを目的とする。
【００１７】
【課題を解決するための手段】
上記目的を達成するため、この発明にかかる移動ネットワーキングシステムは、相互に接続された複数のサブネットワークのそれぞれに、前記複数のサブネットワークと同時に接続可能である移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおいて、前記移動端末は、同時に通信可能なサブネットワーク間の移動に際し前記移動端末管理装置に対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する疑似登録手段を備えたことを特徴とする。
【００１８】
この発明によれば、移動端末管理装置では、移動端末が位置登録のみを有効としＩＰパケットの転送は不要であると指定したサブネットワークに戻ってきて登録を行う場合に、位置登録に付随して必要となる認証等の処理を省略することができるので、位置登録に要する処理時間を低減することが可能となる。また、移動端末管理装置では、移動端末宛のＩＰパケットを同報送信するサブネットワークの数が少なくなるので、ネットワーク資源の有効利用が図れるようになる。
【００１９】
つぎの発明にかかる移動ネットワーキングシステムは、相互に接続された複数のサブネットワークのそれぞれに、前記複数のサブネットワークと同時に接続可能である移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおいて、前記移動端末管理装置は、前記移動端末が同時に通信可能な前記サブネットワーク間を移動する際に登録される位置毎に、前記移動端末宛のＩＰパケットの転送の要否を指定するパラメータを設定する転送要否設定手段を備えたことを特徴とする。
【００２０】
この発明によれば、移動端末管理装置では、移動端末宛のＩＰパケットを同報送信するサブネットワークの数が少なくなるので、ネットワーク資源の有効利用が図れるようになる。
【００２１】
つぎの発明にかかる移動ネットワーキングシステムは、上記の発明において、前記移動端末は、サブネットワーク間の移動を検出して前記疑似登録を含む位置登録の試みをしたとき、他端末と通信中である場合には、移動検出時に前記位置登録の処理を行わずに一定時間経過後に前記位置登録の処理を実行する遅延登録手段を備えたことを特徴とする。
【００２２】
この発明によれば、移動端末が他の端末と行っている通信と上記の疑似登録を含む位置登録による処理との競合を避けることが可能となり、位置登録による認証等のオーバヘッドによって、移動端末が他の端末と行っている通信が一時的に中断されるという事態が回避できるようになる。
【００２３】
つぎの発明にかかる移動ネットワーキングシステムは、上記の発明において、前記移動端末の遅延登録手段は、前記一定時間経過後に前記位置登録の試みをしたとき、まだ通信中である場合には、通信中であることを確認しつつ前記一定時間経過後の前記位置登録の試みを規定回数繰り返し行い、その後前記位置登録の処理を実行することを特徴とする。
【００２４】
この発明によれば、移動端末では、他の端末と行っている通信と擬似登録を含む位置登録による処理との競合を避けることが一層可能となり、位置登録による認証等のオーバヘッドによって、移動端末が他の端末と行っている通信が一時的に中断されるという事態が一層容易に回避できるようになる。
【００２５】
つぎの発明にかかる移動ネットワーキングシステムは、移動ネットワーキングシステムにおいて相互に接続された複数のサブネットワークと同時に接続可能である移動端末において、前記移動端末は、前記移動端末が同時に前記複数のサブネットワークに位置することを可能とする移動端末管理装置に対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する疑似登録手段を備えたことを特徴とする。
【００２６】
この発明によれば、移動端末管理装置では、移動端末が位置登録のみを有効としＩＰパケットの転送は不要であると指定したサブネットワークに戻ってきて登録を行う場合に、位置登録に付随して必要となる認証等の処理を省略することができるので、位置登録に要する処理時間を低減することが可能となる。また、移動端末管理装置では、移動端末宛のＩＰパケットを同報送信するサブネットワークの数が少なくなるので、ネットワーク資源の有効利用が図れるようになる。
【００２７】
つぎの発明にかかる移動端末管理装置は、移動ネットワーキングシステムにおいて相互に接続された複数のサブネットワークと同時に接続可能である移動端末の位置を管理し、前記移動端末が同時に前記複数のサブネットワークに位置することを可能とする移動端末管理装置において、前記移動端末管理装置は、前記移動端末が同時に通信可能な前記サブネットワーク間を移動する際に登録される位置毎に、前記移動端末宛のＩＰパケットの転送の要否を指定するパラメータを設定する転送要否設定手段を備えたことを特徴とする。
【００２８】
この発明によれば、移動端末管理装置では、移動端末宛のＩＰパケットを同報送信するサブネットワークの数が少なくなるので、ネットワーク資源の有効利用が図れるようになる。
【００２９】
つぎの発明にかかる移動端末は、上記の発明において、前記サブネットワーク間の移動を検出して前記疑似登録を含む位置登録の試みをしたとき、他端末と通信中である場合には、移動検出時に前記位置登録の処理を行わずに一定時間経過後に前記位置登録の処理を実行する遅延登録手段を備えたことを特徴とする。
【００３０】
この発明によれば、移動端末では、他の端末と行っている通信と擬似登録を含む位置登録による処理との競合を避けることができ、他の端末と行っている通信が一時的に中断されるという事態が回避できるようになる。
【００３１】
つぎの発明にかかる移動端末は、上記の発明において、前記遅延登録手段は、前記一定時間経過後に前記位置登録の試みをしたとき、まだ通信中である場合には、通信中であることを確認しつつ前記一定時間経過後の前記位置登録の試みを規定回数繰り返し行い、その後位置登録の処理を実行することを特徴とする。
【００３２】
この発明によれば、移動端末では、他の端末と行っている通信と擬似登録を含む位置登録による処理との競合を避けることが一層可能となり、他の端末と行っている通信が一時的に中断されるという事態が一層容易に回避できるようになる。
【００３３】
つぎの発明にかかる移動端末の位置管理方法は、相互に接続された複数のサブネットワークのそれぞれに、前記複数のサブネットワークと同時に接続可能である移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおける移動端末の位置管理方法において、前記移動端末は、同時に通信可能なサブネットワーク間の移動に際し前記移動端末管理装置に対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する疑似登録工程を含むことを特徴とする。
【００３４】
この発明によれば、移動端末管理装置では、移動端末が位置登録のみを有効としＩＰパケットの転送は不要であると指定したサブネットワークに戻ってきて登録を行う場合に、位置登録に付随して必要となる認証等の処理を省略することができるので、位置登録に要する処理時間を低減することが可能となる。また、移動端末管理装置では、移動端末宛のＩＰパケットを同報送信するサブネットワークの数が少なくなるので、ネットワーク資源の有効利用が図れるようになる。
【００３５】
つぎの発明にかかる移動端末の位置管理方法は、相互に接続された複数のサブネットワークのそれぞれに、移動端末が同時に前記複数のサブネットワークに位置することを可能とするように移動端末の位置を管理する移動端末管理装置を含む通信中継装置が配置され、前記移動端末管理装置が前記移動端末宛のＩＰパケットを横取りし現在位置に転送することにより、前記移動端末がサブネットワーク間を移動する場合、また移動した先々のサブネットワークで通信を可能にする移動ネットワーキングシステムにおける移動端末の位置管理方法において、前記移動端末管理装置は、前記移動端末が同時に通信可能な前記サブネットワーク間を移動する際に登録される位置毎に、前記移動端末宛のＩＰパケットの転送の要否を指定するパラメータを設定する転送要否設定工程を含むことを特徴とする。
【００３６】
この発明によれば、移動端末管理装置では、移動端末宛のＩＰパケットを同報送信するサブネットワークの数が少なくなるので、ネットワーク資源の有効利用が図れるようになる。
【００３７】
つぎの発明にかかる移動端末の位置管理方法は、上記の発明において、前記移動端末は、サブネットワーク間の移動を検出して前記疑似登録を含む位置登録の試みをしたとき、他端末と通信中である場合には、移動検出時に前記位置登録の処理を行わずに一定時間経過後に前記位置登録の処理を実行する遅延登録工程を含むことを特徴とする。
【００３８】
この発明によれば、移動端末では、他の端末と行っている通信と擬似登録を含む位置登録による処理との競合を避けることが可能となり、位置登録による認証等のオーバヘッドによって、移動端末が他の端末と行っている通信が一時的に中断されるという事態が回避できるようになる。
【００３９】
つぎの発明にかかる移動端末の位置管理方法は、上記の発明において、前記移動端末の遅延登録工程では、前記一定時間経過後に前記位置登録の試みをしたとき、まだ通信中である場合には、通信中であることを確認しつつ前記一定時間経過後の前記位置登録の試みが規定回数繰り返し行われ、その後位置登録の処理が実行されることを特徴とする。
【００４０】
この発明によれば、移動端末では、他の端末と行っている通信と擬似登録を含む位置登録による処理との競合を避けることが一層可能となり、位置登録による認証等のオーバヘッドによって、移動端末が他の端末と行っている通信が一時的に中断されるという事態が一層容易に回避できるようになる。
【００４１】
【発明の実施の形態】
以下に添付図面を参照して、この発明にかかる移動ネットワーキングシステム、移動端末、移動端末管理装置および移動端末の位置管理方法の好適な実施の形態を詳細に説明する。
【００４２】
実施の形態１．
図１は、この発明の実施の形態１である移動ネットワーキングシステムの構成を示すシステム図である。図１では、相互に接続された複数のサブネットワーク内で移動端末が移動した先々で通信を可能とする移動ネットワーキングシステムの一例が示されている。この移動ネットワーキングシステムでは、ＲＦＣ２００２によるMobile IPによって移動端末の移動可能性（モビリティ）が実現されている。
【００４３】
図１において、この移動ネットワーキングシステムは、基幹ＩＰネットワーク１００と、この基幹ＩＰネットワーク１００を介して相互に接続されるサブネットワーク２０１，２０２，２０４および２０５とを備えている。
【００４４】
サブネットワーク２０４は、ホーム・エージェント４０１を備えている。サブネットワーク２０５は、通常端末７０１を備えている。サブネットワーク２０１は、フォーリン・エージェント２１１，２１２を備えている。また、サブネットワーク２０２は、フォーリン・エージェント２２１，２２２を備えている。
【００４５】
そして、フォーリン・エージェント２１１，２１２，２２１，２２２は、それぞれ無線アクセスシステムを収容している。図１では、フォーリン・エージェント２１２が収容する無線エリア３０１と、フォーリン・エージェント２２１が収容する無線エリア３０２と、フォーリン・エージェント２２２が収容する無線エリア３０３とが示されている。フォーリン・エージェント２２１，２２２が収容する無線エリア３０２，３０３は、それぞれ重複しない独立した無線エリアであるが、フォーリン・エージェント２１２が収容する無線エリア３０１内にオーバーラップして存在している。
【００４６】
移動端末８０１は、最初の時点では、サブネットワーク２０１に属するフォーリン・エージェント２１２が収容する無線エリア３０１に位置している。移動端末８０１は、フォーリン・エージェント２２１または２２２が収容する無線エリア３０２内または３０３内に位置するときには、フォーリン・エージェント２２１または２２２とフォーリン・エージェント２１２との双方と通信が可能である。
【００４７】
移動端末８０１は、フォーリン・エージェント２１１が収容する図示しない無線エリア内、またはフォーリン・エージェント２１２が収容する無線エリア３０１内に位置するときには、フォーリン・エージェント２１１または２１２を介して通常端末７０１と通信を行うことができる。
【００４８】
また、移動端末８０１は、フォーリン・エージェント２２１が収容する無線エリア３０２内、またはフォーリン・エージェント２２２が収容する無線エリア３０３内に位置するときには、フォーリン・エージェント２２１または２２２を介して通常端末７０１と通信を行うことができる。移動端末８０１に対しこれらのフォーリン・エージェントが収容する無線エリアでのＩＰモビリティを提供するホーム・エージェントは、サブネットワーク２０４に位置するホーム・エージェント４０１である。
【００４９】
次に、図１，図２を参照して、この実施の形態１による移動端末の位置管理方法を説明する。なお、図２は、Mobile IPによる位置登録の手順を説明するシーケンス図である。  図２において、通常登録（手順Ｔ１１）では、移動端末８０１は、サブネットワーク２０１に属するフォーリン・エージェント２１２が収容している無線エリア３０１内に位置することとなる場合には、フォーリン・エージェント２１２のＩＰアドレスを移動端末８０１の位置情報としてホーム・エージェント４０１に登録する。この通常登録（手順Ｔ１１）は、従来行われている手続であり、次のようにして行われる。
【００５０】
すなわち、移動端末８０１は、フォーリン・エージェント２１２からＩＰアドレスを獲得し、獲得したフォーリン・エージェント２１２のＩＰアドレスを位置情報として含む登録要求をMobile IPに従ってフォーリン・エージェント２１２に対して送信する（手順Ｔ１１１）。フォーリン・エージェント２１２は、この登録要求をホーム・エージェント４０１に伝達する（手順Ｔ１１２）。
【００５１】
ホーム・エージェント４０１では、移動端末８０１の現在位置をホームアドレスと関連付けて登録する位置登録処理が行われ（手順Ｔ１１３）さらに登録処理に付随して、移動端末８０１や現在位置を示すフォーリン・エージェント２１２に対する認証等の処理が行われる（手順Ｔ１１４）。
【００５２】
ホーム・エージェント４０１は、移動端末８０１の登録処理が終了すると、Mobile IPに従う登録応答をフォーリン・エージェント２１２に送信する（手順Ｔ１１５）。この登録応答は、フォーリン・エージェント２１２から移動端末８０１に伝達される（手順Ｔ１１６）。
【００５３】
次に、ＩＰパケット受信（手順Ｔ１２）では、以上の手順で、フォーリン・エージェント２１２に位置した移動端末８０１が、ホーム・エージェント４０１に登録されている状態において、ホーム・エージェント４０１は、通常端末７０１から移動端末８０１宛のＩＰパケットが送られてくると、移動端末８０１宛のＩＰパケットを横取りし（手順Ｔ１２１）、現在位置(最初の時点では、フォーリン・エージェント２１２に位置することを示すフォーリン・エージェント２１２のＩＰアドレス)にその横取りしたＩＰパケットをトンネリングの手法によって転送する（手順Ｔ１２２）。フォーリン・エージェント２１２は、受け取ったＩＰパケットを移動端末８０１に伝達する（手順Ｔ１２３）。
【００５４】
次に、移動端末８０１がサブネットワーク２０２に属するフォーリン・エージェント２２１が収容する無線エリア３０２内に移動した場合(手順Ｔ１３)、移動端末８０１は、フォーリン・エージェント２２１が収容する無線エリア３０２内に移動しても、フォーリン・エージェント２１２を経由して通信が可能である。そこで、移動端末８０１は、この実施の形態１による疑似登録“Temporary Registration”（手順Ｔ１４）と通常登録（手順Ｔ１５）との手続をほぼ同時に行う。まず、疑似登録（手順Ｔ１４）から説明する。この疑似登録（手順Ｔ１４）は、次のようにして行われる。
【００５５】
すなわち、移動端末８０１は、ホーム・エージェント４０１に対し、“フォーリン・エージェント２１２とも継続して通信が可能である”旨の登録情報を通知するため、フォーリン・エージェント２１２に対しMobile IPに従う疑似登録要求を送信する（手順Ｔ１４１）。この疑似登録要求は、フォーリン・エージェント２１２からホーム・エージェント４０１に伝達される（手順Ｔ１４２）。この疑似登録要求には、ホーム・エージェント４０１に登録内容の保持及び転送の中断を指示するメッセージが含まれている。
【００５６】
そこで、ホーム・エージェント４０１は、移動端末８０１の指示に従い、フォーリン・エージェント２１２を現在位置とする登録内容を保持し、フォーリン・エージェント２１２にはＩＰパケットの転送を行わない旨の疑似登録処理を行う（手順Ｔ１４３）。この疑似登録処理が終了すると、ホーム・エージェント４０１は、Mobile IPに従う登録応答をフォーリン・エージェント２１２に送信する（手順Ｔ１４４）。この登録応答は、フォーリン・エージェント２１２から移動端末８０１に伝達される（手順Ｔ１４５）。
【００５７】
そして、移動端末８０１は、通常登録（手順Ｔ１５）の手続を行う。すなわち、移動端末８０１は、現在位置を示すフォーリン・エージェント２２１から獲得したフォーリン・エージェント２２１のＩＰアドレスを位置情報としてホーム・エージェント４０１に登録するために、フォーリン・エージェント２２１に対しMobile IPに従う登録要求を送信する（手順Ｔ１５１）。
【００５８】
フォーリン・エージェント２２１は、この登録要求をホーム・エージェント４０１に伝達する（手順Ｔ１５２）。ホーム・エージェント４０１では、移動端末８０１の現在位置がホームアドレスと関連付けて登録する位置登録処理が行われ（手順Ｔ１５３）、登録処理に付随して、移動端末８０１や現在位置を示すフォーリン・エージェント２２１に対する認証等の処理が行われる（手順Ｔ１５４）。
【００５９】
ホーム・エージェント４０１は、移動端末８０１の登録処理が終了すると、Mobile IPに従う登録応答をフォーリン・エージェント２２１に送信する（手順Ｔ１５５）。この登録応答は、フォーリン・エージェント２１２から移動端末８０１に伝達される（手順Ｔ１５６）。
【００６０】
次に、ＩＰパケット受信（手順Ｔ１６）では、以上の手順で、フォーリン・エージェント２２１に位置した移動端末８０１がホーム・エージェント４０１に登録されている状態において、ホーム・エージェント４０１は、通常端末７０１から移動端末８０１宛のＩＰパケットが送られてくると、移動端末８０１宛のＩＰパケットを横取りし（手順Ｔ１６１）、現在位置(今度は、フォーリン・エージェント２２１に位置することを示すフォーリン・エージェント２２１のＩＰアドレス)にその横取りしたＩＰパケットをトンネリングの手法によって転送する（手順Ｔ１６２）。フォーリン・エージェント２２１は、受け取ったＩＰパケットを移動端末８０１に伝達する（手順Ｔ１６３）。
【００６１】
次に、移動端末８０１は、フォーリン・エージェント２２１の収容する無線エリア３０２内に位置している場合に、フォーリン・エージェント２１２の収容する無線エリア３０１に移動する事態に備えて、疑似登録（手順Ｔ１７）の手続を行う。この疑似登録（手順Ｔ１７）は、次のようにして行われる。
【００６２】
すなわち、移動端末８０１は、ホーム・エージェント４０１に対し、“フォーリン・エージェント２１２とも継続して通信が可能である”旨の登録情報を通知するため、フォーリン・エージェント２１２に対しMobile IPに従う疑似登録要求を送信する（手順Ｔ１７１）。この疑似登録要求は、フォーリン・エージェント２１２からホーム・エージェント４０１に伝達される（手順Ｔ１７２）。この疑似登録要求には、ホーム・エージェント４０１に登録内容の保持及び転送の中断を指示するメッセージが含まれている。
【００６３】
ホーム・エージェント４０１は、移動端末８０１の指示に従い、フォーリン・エージェント２１２を現在位置とする登録内容を保持し、フォーリン・エージェント２１２にはＩＰパケットの転送を行わない旨の疑似登録処理を行う（手順Ｔ１７３）。ホーム・エージェント４０１は、この疑似登録処理が終了すると、Mobile IPに従う登録応答をフォーリン・エージェント２１２に送信する（手順Ｔ１７４）。この登録応答は、フォーリン・エージェント２１２から移動端末８０１に伝達される（手順Ｔ１７５）。
【００６４】
そして、移動端末８０１は、フォーリン・エージェント２２１が収容する無線エリア３０２内に位置している間、疑似登録維持（手順Ｔ１８）を行っている。これは、通常登録での維持手続と同様内容であって、一定時間毎に疑似登録（手順Ｔ１７）を行い、ホーム・エージェント４０１に対してフォーリン・エージェント２１２のＩＰアドレスを再登録する手続きである。
【００６５】
次に、移動端末８０１が、フォーリン・エージェント２２１の収容する無線エリア３０２の外に移動し、フォーリン・エージェント２１２とのみ通信が可能である無線エリア３０１に移動した場合（手順Ｔ１９）、移動端末８０１は、現在位置を示すフォーリン・エージェント２１２に対する通常登録を行う（手順Ｔ２０）。
【００６６】
すなわち、移動端末８０１は、フォーリン・エージェント２１２からＩＰアドレスを獲得し、獲得したフォーリン・エージェント２１２のＩＰアドレスを位置情報として含む登録要求をMobile IPに従ってフォーリン・エージェント２１２に対して送信する（手順Ｔ２０１）。フォーリン・エージェント２１２は、この登録要求をホーム・エージェント４０１に伝達する（手順Ｔ２０２）。
【００６７】
ホーム・エージェント４０１では、移動端末８０１の現在位置がホームアドレスと関連付けた位置登録処理のみが行われる（手順Ｔ２０３）。すなわち、ホーム・エージェント４０１には、疑似登録によって移動端末８０１に対するフォーリン・エージェント２１２のＩＰアドレスが登録保持されている。したがって、ホーム・エージェント４０１は、フォーリン・エージェント２１２のＩＰアドレスの登録を行う場合に登録手順に付随して行われる認証等の手順を省略することができる。
【００６８】
移動端末８０１の登録処理が終了すると、ホーム・エージェント４０１は、Mobile IPに従う登録応答をフォーリン・エージェント２１２に送信する（手順Ｔ２０４）。この登録応答は、フォーリン・エージェント２１２から移動端末８０１に伝達される（手順Ｔ２０５）。
【００６９】
以上のように、この実施の形態１によれば、ホーム・エージェントに対する疑似登録(Temporary Registration)と呼ぶ新たな登録手順を設け、複数の無線エリアから構成され、ある無線エリア内に複数の無線エリアがオーバーラップして存在する移動ネットワーキングシステムにおいて、移動端末がオーバーラップしている無線エリアを跨って移動する場合に、ホーム・エージェントに対して、移動先で定めた位置登録の際に、移動端末の移動前の無線エリアに位置している場合の位置情報の保持とその移動前の無線エリアへの転送の中止とを指示できる。
【００７０】
したがって、移動端末が疑似登録によって位置情報の保持を指示した無線エリアに戻って位置登録を行う場合に、ホーム・エージェントでは、位置登録に付随して必要となる認証等の処理を省略することができるので、位置登録に要する処理時間を低減することが可能となる。また、ホーム・エージェントは、移動端末宛のＩＰパケットを同報送信するサブネットワークの数が少なくなるので、ネットワーク資源の有効利用が図れるようになる。ここで、擬似登録の手順は、実施の形態１での説明から理解できるように、ホーム・エージェントが管理している「登録」と「転送」とを移動端末側の主導で分離する手順であると言うことができ、一般的には、同時に通信可能なサブネットワーク間の移動に際しホーム・エージェントに対して、移動先の定めに従って登録した位置が自移動端末宛のＩＰパケットの転送対象にならず位置の登録だけであることを示し、その登録した位置に自移動端末宛のＩＰパケットの転送を行うか否かの転送要否を指定する手順を採ることができる。
【００７１】
なお、この実施の形態１では、ホーム・エージェントは、移動端末からの要求によって疑似登録を行う場合を説明したが、ホーム・エージェントの判断で、上述した疑似登録と同内容の登録を行うようにしてもよい。すなわち、ホーム・エージェントが、移動端末の登録される位置毎に、移動端末宛のＩＰパケットの転送の要否を指定するパラメータを設定することでもよい。これによって、ホーム・エージェントでは、移動端末宛のＩＰパケットを同報送信するサブネットワークの数が少なくなるので、ネットワーク資源の有効利用が図れるようになる。
【００７２】
また、この実施の形態１では、移動端末の移動可能性を実現するネットワークとしてＲＦＣ２００２によるMobile IPに従うネットワークを示したが、この発明はこれに限定されるものではなく、その他のモバイル・システムでも同様に適用できることはいうまでもない。
【００７３】
実施の形態２．
この実施の形態２では、実施の形態１と同様に複数の無線エリアから構成され、第１の無線エリア内に複数の無線エリア（第２の無線エリア）がオーバーラップして存在するシステム（図１参照）において、移動端末が、第１の無線エリアに属したままで、第２の無線エリアに移動し、ホーム・エージェントに対して行う上記した擬似登録を含む現在位置の登録を第２の無線エリアとする場合の位置管理方法が示されている。
【００７４】
図３は、この発明の実施の形態２である移動ネットワーキングシステムで実施される移動端末と他端末とが通信中である時のMobile IPに従う位置登録を延期する手順を説明するシーケンス図である。なお、図３では、通常概念の位置登録を例に挙げて説明しているが、上記した擬似登録においても同様である。
【００７５】
以下、図３を参照して、実施の形態２による移動端末の位置管理方法を説明する。図３では、図１に示した移動ネットワーキングシステムにおいて、移動端末８０１は、最初サブネットワーク２０１に属するフォーリン・エージェント２１２が収容する無線エリア３０１内に位置している。その後、通常端末７０１との通信状態を維持しつつサブネットワーク２０２に属するフォーリン・エージェント２２１が収容する無線エリア３０２内に移動し、ホーム・エージェント４０１に対して位置情報の登録を行う場合が示されている。
【００７６】
図３において、通常登録（手順Ｔ２１）では、移動端末８０１は、サブネットワーク２０１に属するフォーリン・エージェント２１２が収容している無線エリア３０１内に位置することとなる場合には、フォーリン・エージェント２１２のＩＰアドレスを移動端末８０１の位置情報としてホーム・エージェント４０１に登録する。この通常登録（手順Ｔ２１）は、次にようにして行われる。
【００７７】
すなわち、移動端末８０１は、フォーリン・エージェント２１２からＩＰアドレスを獲得し、獲得したフォーリン・エージェント２１２のＩＰアドレスを位置情報として含む登録要求をMobile IPに従ってフォーリン・エージェント２１２に対して送信する（手順Ｔ２１１）。フォーリン・エージェント２１２は、この登録要求をホーム・エージェント４０１に伝達する（手順Ｔ２１２）。
【００７８】
ホーム・エージェント４０１では、移動端末８０１の現在位置をホームアドレスと関連付けて登録する位置登録処理が行われる（手順Ｔ２１３）。さらに登録処理に付随して、移動端末８０１や現在位置を示すフォーリン・エージェント２１２に対する認証等の処理が行われる（手順Ｔ２１４）。
【００７９】
ホーム・エージェント４０１は、移動端末８０１の登録処理が終了すると、Mobile IPに従う登録応答をフォーリン・エージェント２１２に送信する（手順Ｔ２１５）。この登録応答は、フォーリン・エージェント２１２から移動端末８０１に伝達される（手順Ｔ２１６）。
【００８０】
その後、移動端末８０１と通常端末７０１との間で通信が開始される（手順Ｔ２２）。そして、移動端末８０１は、通常端末７０１と通信しながらサブネットワーク２０２に属するフォーリン・エージェント２２１が収容する無線エリア３０２に移動した（手順Ｔ２３）が、依然として移動端末８０１と通常端末７０１が通信中である。
【００８１】
この場合、移動端末８０１は、フォーリン・エージェント２２１が収容する無線エリア３０２に移動するとホーム・エージェント４０１に対する位置登録を試みるが、通信中であるので、位置登録は実行せず、移動したときから一定時間の経過を待つ(手順Ｔ２４）。その後に、ホーム・エージェント４０１に対する位置登録の手続を行う(手順Ｔ２５）。図３では、一定時間経過後には端末間の通信が終了している場合が示されている。一定時間経過後に端末間の通信が終了していない場合の位置登録方法としては、種々あるが、その一例が後述する実施の形態３に示されている。
【００８２】
通常登録（手順Ｔ２５）では、移動端末８０１は、フォーリン・エージェント２２１から獲得したフォーリン・エージェント２２１のＩＰアドレスを位置情報としてホーム・エージェント４０１に登録するために、フォーリン・エージェント２２１に対しMobile IPに従う登録要求を送信する（手順Ｔ２５１）。フォーリン・エージェント２２１は、この登録要求をホーム・エージェント４０１に伝達する（手順Ｔ２５２）。
【００８３】
ホーム・エージェント４０１では、移動端末８０１の現在位置をホームアドレスと関連付けて登録する位置登録処理が行われる（手順Ｔ２５３）。さらに登録処理に付随して、移動端末８０１や現在位置を示すフォーリン・エージェント２１２に対する認証等の処理が行われる（手順Ｔ２５４）。ホーム・エージェント４０１は、移動端末８０１の登録処理を終了すると、Mobile IPに従う登録応答をフォーリン・エージェント２２１に送信する（手順Ｔ２５５）。この登録応答は、フォーリン・エージェント２２１から移動端末８０１に伝達される（手順Ｔ２５６）。
【００８４】
次いで、ＩＰパケット受信（手順Ｔ２６）では、以上の手順で、フォーリン・エージェント２２１に位置した移動端末８０１が、ホーム・エージェント４０１に登録されている状態において、ホーム・エージェント４０１は、通常端末７０１から移動端末８０１宛のＩＰパケットが送られてくると、移動端末８０１宛のＩＰパケットを横取りし（手順Ｔ２６１）、現在位置(今度は、フォーリン・エージェント２２１に位置することを示すフォーリン・エージェント２２１のＩＰアドレス)にその横取りしたＩＰパケットをトンネリングの手法によって転送する（手順Ｔ２６２）。フォーリン・エージェント２２１は、受け取ったＩＰパケットを移動端末８０１に伝達する（手順Ｔ２６３）。
【００８５】
以上のように、この実施の形態２によれば、移動端末が、第１の無線エリアに属したままで、第２の無線エリアに移動し、ホーム・エージェントへの位置登録を第２の無線エリアとする場合に、移動端末が他の端末との通信状態を確認し、通信中である場合には、一定時間経過後に位置登録の処理を行うようにした。したがって、移動端末が他の端末と行っている通信と位置登録による処理との競合を避けることが可能となり、位置登録による認証等のオーバヘッドによって、移動端末が他の端末と行っている通信が一時的に中断されるという事態が回避できるようになる。
【００８６】
実施の形態３．
この実施の形態３では、実施の形態２において、一定時間の経過後にホーム・エージェントに対して位置登録を試みる場合に、依然として、移動端末が他の端末と通信中である場合に、一定時間の経過を待つ処理を通信中であることを確認しつつ規定回数繰り返した後に位置登録を行う位置管理方法が示されている。
【００８７】
図４は、この発明の実施の形態３である移動ネットワーキングシステムで実施される移動端末と他端末とが通信中である時のMobile IPに従う位置登録を一定回数延期する手順を説明するシーケンス図である。
【００８８】
以下、図４を参照して、実施の形態３による移動端末の位置管理方法を説明する。図４では、図１に示した移動ネットワーキングシステムにおいて、移動端末８０１は、最初サブネットワーク２０１に属するフォーリン・エージェント２１２が収容する無線エリア３０１内に位置しているが、その後、通常端末７０１との通信状態を維持しつつサブネットワーク２０２に属するフォーリン・エージェント２２１が収容する無線エリア３０２内に移動し、ホーム・エージェント４０１に対して現在の位置情報の登録を行う場合が示されている。なお、この場合の位置登録は、実施の形態２と同様に、通常概念の位置登録でもよく、実施の形態１で説明した疑似登録でもよい。
【００８９】
図４において、通常登録（手順Ｔ３１）では、移動端末８０１は、サブネットワーク２０１に属するフォーリン・エージェント２１２が収容している無線エリア３０１内に位置することとなる場合には、フォーリン・エージェント２１２のＩＰアドレスを移動端末８０１の位置情報としてホーム・エージェント４０１に登録する。この通常登録（手順Ｔ３１）は、次にようにして行われる。
【００９０】
すなわち、移動端末８０１は、フォーリン・エージェント２１２からＩＰアドレスを獲得し、獲得したフォーリン・エージェント２１２のＩＰアドレスを位置情報として含む登録要求をMobile IPに従ってフォーリン・エージェント２１２に対して送信する（手順Ｔ３１１）。フォーリン・エージェント２１２は、この登録要求をホーム・エージェント４０１に伝達する（手順Ｔ３１２）。
【００９１】
ホーム・エージェント４０１では、移動端末８０１の現在位置をホームアドレスと関連付けて登録する位置登録処理が行われる（手順Ｔ３１３）。さらに登録処理に付随して、移動端末８０１や現在位置を示すフォーリン・エージェント２１２に対する認証等の処理が行われる（手順Ｔ３１４）。
【００９２】
ホーム・エージェント４０１は、移動端末８０１の登録処理が終了すると、Mobile IPに従う登録応答をフォーリン・エージェント２１２に送信する（手順Ｔ３１５）。この登録応答は、フォーリン・エージェント２１２から移動端末８０１に伝達される（手順Ｔ３１６）。
【００９３】
その後、移動端末８０１と通常端末７０１との間で通信が開始される（手順Ｔ３２）。そして、移動端末８０１は、通常端末７０１と通信しながらサブネットワーク２０２に属するフォーリン・エージェント２２１が収容する無線エリア３０２に移動した（手順Ｔ３３）が、依然として移動端末８０１と通常端末７０１が通信中である。
【００９４】
この場合、移動端末８０１は、フォーリン・エージェント２２１が収容する無線エリア３０２に移動するとホーム・エージェント４０１に対する位置登録を試みるが、通信中であるので、位置登録は実行せず、移動したときから一定時間の経過を待ち、その後に登録の手続きを試みる(手順Ｔ３４）。
【００９５】
しかし、まだ通信中であるので、一定時間の経過を待ち、その後に登録の手続きを試みる(手順Ｔ３５）。通信中である期間内、この動作を繰り返し行い、規定回数繰り返したことの確認ができると（手順Ｔ３６）、移動端末８０１と通常端末７０１における通信状態によらず、ホーム・エージェント４０１に対する位置登録を行う（手順Ｔ３７）。
【００９６】
すなわち、移動端末８０１は、フォーリン・エージェント２２１から獲得したフォーリン・エージェント２２１のＩＰアドレスを位置情報としてホーム・エージェント４０１に登録するために、フォーリン・エージェント２２１に対しMobile IPに従う登録要求を送信する（手順Ｔ３７１）。フォーリン・エージェント２２１は、この登録要求をホーム・エージェント４０１に伝達する（手順Ｔ３７２）。
【００９７】
ホーム・エージェント４０１では、移動端末８０１の現在位置をホームアドレスと関連付けて登録する位置登録処理が行われる（手順Ｔ３７３）。さらに登録処理に付随して、移動端末８０１や現在位置を示すフォーリン・エージェント２１２に対する認証等の処理が行われる（手順Ｔ３７４）。ホーム・エージェント４０１は、移動端末８０１の登録処理を終了すると、Mobile IPに従う登録応答をフォーリン・エージェント２２１に送信する（手順Ｔ３７５）。この登録応答は、フォーリン・エージェント２２１から移動端末８０１に伝達される（手順Ｔ３７６）。
【００９８】
次いで、ＩＰパケット受信（手順Ｔ３８）では、以上の手順で、フォーリン・エージェント２２１に位置した移動端末８０１が、ホーム・エージェント４０１に登録されている状態において、ホーム・エージェント４０１は、通常端末７０１から移動端末８０１宛のＩＰパケットが送られてくると、移動端末８０１宛のＩＰパケットを横取りし（手順Ｔ３８１）、現在位置(今度は、フォーリン・エージェント２２１に位置することを示すフォーリン・エージェント２２１のＩＰアドレス)にその横取りしたＩＰパケットをトンネリングの手法によって転送する（手順Ｔ３８２）。フォーリン・エージェント２２１は、受け取ったＩＰパケットを移動端末８０１に伝達する（手順Ｔ３８３）。
【００９９】
以上のように、この実施の形態３によれば、移動端末が、第１の無線エリアに属したままで、第２の無線エリアに移動し、ホーム・エージェントへの位置登録を第２の無線エリアとする場合に、移動端末が他の端末との通信状態を確認し、通信中であるときは、登録の手続きを一定時間延期することを通信状態を確認しつつ規定回数繰り返し行うようにしたので、実施の形態２よりも一層、移動端末が他の端末と行っている通信と位置登録による処理との競合を避けることが可能となり、位置登録による認証処理などのオーバヘッドによって、移動端末が他の端末と行っている通信が一時的に中断されるという事態が回避できるようになる。なお、延期処理が規定回数行われた場合には、ほぼ強制的にホーム・エージェントに現在位置の登録が行われる。
【０１００】
【発明の効果】
以上説明したように、この発明によれば、移動端末管理装置では、移動端末が位置登録のみを有効としＩＰパケットの転送は不要であると指定したサブネットワークに戻ってきて登録を行う場合に、位置登録に付随して必要となる認証等の処理を省略することができるので、位置登録に要する処理時間を低減することが可能となる。また、移動端末管理装置では、移動端末宛のＩＰパケットを同報送信するサブネットワークの数が少なくなるので、ネットワーク資源の有効利用が図れるようになる。
【０１０１】
つぎの発明によれば、移動端末管理装置では、移動端末宛のＩＰパケットを同報送信するサブネットワークの数が少なくなるので、ネットワーク資源の有効利用が図れるようになる。
【０１０２】
つぎの発明によれば、移動端末では、他の端末と行っている通信と擬似登録を含む位置登録による処理との競合を避けることが可能となり、位置登録による認証等のオーバヘッドによって、移動端末が他の端末と行っている通信が一時的に中断されるという事態が回避できるようになる。
【０１０３】
つぎの発明によれば、移動端末では、他の端末と行っている通信と擬似登録を含む位置登録による処理との競合を避けることが一層可能となり、位置登録による認証等のオーバヘッドによって、移動端末が他の端末と行っている通信が一時的に中断されるという事態が一層容易に回避できるようになる。
【０１０４】
つぎの発明によれば、移動端末管理装置では、移動端末が位置登録のみを有効としＩＰパケットの転送は不要であると指定したサブネットワークに戻ってきて登録を行う場合に、位置登録に付随して必要となる認証等の処理を省略することができるので、位置登録に要する処理時間を低減することが可能となる。また、移動端末管理装置では、移動端末宛のＩＰパケットを同報送信するサブネットワークの数が少なくなるので、ネットワーク資源の有効利用が図れるようになる。
【０１０５】
つぎの発明によれば、移動端末管理装置では、移動端末宛のＩＰパケットを同報送信するサブネットワークの数が少なくなるので、ネットワーク資源の有効利用が図れるようになる。
【０１０６】
つぎの発明によれば、移動端末では、他の端末と行っている通信と擬似登録を含む位置登録による処理との競合を避けることができ、他の端末と行っている通信が一時的に中断されるという事態が回避できるようになる。
【０１０７】
つぎの発明によれば、移動端末では、他の端末と行っている通信と擬似登録を含む位置登録による処理との競合を避けることが一層可能となり、他の端末と行っている通信が一時的に中断されるという事態が一層容易に回避できるようになる。
【０１０８】
つぎの発明によれば、移動端末管理装置では、移動端末が位置登録のみを有効としＩＰパケットの転送は不要であると指定したサブネットワークに戻ってきて登録を行う場合に、位置登録に付随して必要となる認証等の処理を省略することができるので、位置登録に要する処理時間を低減することが可能となる。また、移動端末管理装置では、移動端末宛のＩＰパケットを同報送信するサブネットワークの数が少なくなるので、ネットワーク資源の有効利用が図れるようになる。
【０１０９】
つぎの発明によれば、移動端末管理装置では、移動端末宛のＩＰパケットを同報送信するサブネットワークの数が少なくなるので、ネットワーク資源の有効利用が図れるようになる。
【０１１０】
つぎの発明によれば、移動端末では、他の端末と行っている通信と擬似登録を含む位置登録による処理との競合を避けることが可能となり、位置登録による認証等のオーバヘッドによって、移動端末が他の端末と行っている通信が一時的に中断されるという事態が回避できるようになる。
【０１１１】
つぎの発明によれば、移動端末では、他の端末と行っている通信と擬似登録を含む位置登録による処理との競合を避けることが一層可能となり、位置登録による認証等のオーバヘッドによって、移動端末が他の端末と行っている通信が一時的に中断されるという事態が一層容易に回避できるようになる。
【図面の簡単な説明】
【図１】  この発明の実施の形態１である移動ネットワーキングシステムの構成を示すシステム図である。
【図２】  Mobile IPに従う位置登録の手順を説明するシーケンス図である。
【図３】  この発明の実施の形態２である移動ネットワーキングシステムで実施される移動端末と他端末とが通信中である時のMobile IPに従う位置登録を延期する手順を説明するシーケンス図である。
【図４】  この発明の実施の形態３である移動ネットワーキングシステムで実施される移動端末と他端末とが通信中である時のMobile IPに従う位置登録を一定回数延期する手順を説明するシーケンス図である。
【図５】  ＲＦＣ２００２によるＩＰモビリティ・ネットワークの構成を示す図である。
【符号の説明】
１００  基幹ＩＰネットワーク、２０１，２０２，２０４，２０５  サブネットワーク、２１１，２１２，２２１，２２２  フォーリン・エージェント（ＦＡ）、３０１，３０２，３０３  無線エリア、４０１  ホーム・エージェント（移動端末管理装置）、７０１  通常端末、８０１  移動端末。
【図１】
0003808739.tif 000002
【図２】
0003808739.tif 000003
【図３】
0003808739.tif 000004
【図４】
0003808739.tif 000005
【図５】
0003808739.tif 000006